(57)【特許請求の範囲】
【請求項１】
開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーの開放口の近傍の面に設けられており、このシール機構のシールリップが全周に渡って形成されているとともに、前記圧着爪は、圧着爪根元部と、この圧着爪根元部につながり、かつ、湾曲部を支点として撓む圧着爪壁部と、この圧着爪壁部に傾斜した傾斜面である圧着爪滑り部と、この圧着爪滑り部の先端に形成された圧着爪先端部とを有し、前記圧着爪壁部は、前記嵌合部材本体の嵌合部材壁部あるいは位置決め部の内周にあって、前記圧着爪滑り部が前記パネルに接触して、前記圧着爪壁部が前記圧着爪のばね作用によって、前記湾曲部を支点として前記カバーの内周側に撓む時に、前記嵌合部材の嵌合部材水平部の面の垂直方向にて圧着爪先端部が該嵌合部材水平部から離れる方向に変位するとともに、前記圧着爪滑り部も前記圧着爪壁部に向かって屈曲することを特徴とする車両用ホールカバー。
【請求項２】
開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーに設けられているとともに、前記シール機構は、前記カバーの開放口の近傍の面に全周に亘って設けられており、前記圧着爪が、圧着爪滑り部と圧着爪先端部に圧着爪先端肉盗み部を備えており、前記圧着爪先端肉盗み部の幅は、嵌合部材水平部にほぼ垂直に突き出た位置決め部の幅より大であって、前記圧着爪が前記パネルに接触して撓む時に、この圧着爪が前記位置決め部に干渉しないことを特徴とする車両用ホールカバー。
【請求項３】
開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーに設けられているとともに、前記圧着爪が、前記嵌合部材本体に隙間を有してリベットで係合されており、前記嵌合部材本体に設けられ前記圧着爪の回転を制限する回転止め部に規制されて所定の範囲だけ回転可能であることを特徴とする車両用ホールカバー。
【請求項４】
請求項３に記載の圧着爪を取り付けた嵌合部材本体には、前記回転止め部と、嵌合部材水平部にほぼ垂直に突き出た位置決め部とが、分離されているかあるいは別部材で形成されていることを特徴とする車両用ホールカバー。
【請求項５】
請求項３に記載の圧着爪を有する嵌合部材本体の嵌合部材壁部の一部あるいは前記位置決め部と、前記回転止め部とが一体かあるいは同一部材で位置決め兼回転止め部を形成していることを特徴とする車両用ホールカバー。
【請求項６】
開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーに設けられているとともに、前記爪状部材を構成する前記案内爪及び前記圧着爪に対応する部分の前記カバーの前記開放口の近傍の面に、全周に亘ってシール機構としてシールリップが設けられており、前記案内爪に対応する部分の前記シールリップの剛性は、前記圧着爪に対応する部分の前記シールリップの剛性より大であることを特徴とする車両用ホールカバー。
【発明の詳細な説明】
【０００１】
【発明の属する技術分野】
本発明は車両のパネルの孔を覆う為のホールカバー、例えば車両のステアリングシャフトの一部を覆いボデーパネルに取り付けるステアリングコラムホールカバーに関する。
【０００２】
【従来の技術】
車両の車体にはボデーパネル等多くのパネルが採用されているが、このパネルに孔が空けられている場合にこの孔を覆うカバーを取り付けているものがある。代表的な例としてステアリングシャフトがボデーパネルを貫通する場所に取り付けられているホールカバー（この場合はステアリングコラムホールカバーとも呼ばれる。）がある。
【０００３】
ステアリング機構はステアリングホイールの回転力をステアリングギヤに伝達し、更にこれをタイロッドの左右方向運動に変換して車輪の制御を行う。ここで前記ステアリングホイールは車室内にあるが、ステアリングギヤ以降は車室内になく車両のボデーの外に位置している。従って通常ステアリングコラム及びステアリングシャフトは運転席の足元近くのボデーパネルに空けられた孔を貫通している。すると走行中車両の外部から泥や水等が車室内に入って来てしまう恐れがあるので、遮断する為に通常ゴム等の弾性体でできたカバーで覆い外部から泥や水等が侵入しないように阻止している。
【０００４】
このカバーを構成部品としパネルの孔を覆う袋状のものをホールカバーと呼ぶが、このホールカバーをステアリングに適用された場合にはステアリングコラムホールカバーとも呼ばれる。従来構造のステアリングコラムホールカバーがステアリングとボデーパネルに取り付けられたところの断面図を図２１に示す。ここで図２１に示すホールカバー１０１の場合はゴムでできたカバー１３０のみで構成されているので、前記ホールカバー１０１と前記カバー１３０とは実質同じものとなる。
【０００５】
図示しないステアリングホイールに一方で連結されたステアリングシャフト１２１は他方でギヤハウジング１２０に結合されている。ゴムを材料として形成されたカバー１３０は袋状をしていて両端に開放口１３４と第２開放口１３１を有している。該第２開放口１３１の近傍には第２嵌合部１３２が形成されていて、前記ギヤハウジング１２０に結合されている。
【０００６】
前記第２開放口１３１の反対側に開放された開放口１３４の近傍には、嵌合部１３５が形成されている。該嵌合部１３５には凹部となる嵌合部溝１３５Ａが形成されている。パネル１１０には略円形あるいは略多角形あるいは曲線と多角形とで形成された形の孔であるコラムホール１１２が形成されているので、その形状を形成するパネル淵部１１１が凸部となって、嵌合部溝１３５Ａと嵌合している。
【０００７】
前記嵌合部１３５では前記嵌合部溝１３５Ａを形成する面の一つが長く延びていて嵌合部支持部１３６を形成している。また前記カバー１３０の端部には嵌合部押え部１３５Ｃが形成されている。そして前記嵌合部支持部１３６と前記嵌合部押え部１３５Ｃの間に前記嵌合部溝１３５Ａが形成されているわけである。この嵌合部溝１３５Ａの幅すなわち前記嵌合部押え部１３５Ｃと前記嵌合部支持部１３６との間の間隙は前記パネル淵部１１１の厚さより小さく設定されている。この為嵌合部支持部１３６の面はパネル淵部１１１に密着させられており、前記カバー１３０及び前記パネル１１０とで仕切る内外の空間を隔壁して遮断し、泥や水等の侵入を防止するシールの役割りを果している。
【０００８】
またホールカバー１０１をパネル１１０に組み込む際に、前記嵌合部押え部１３５Ｃを摘んで嵌合部溝１３５Ａを拡げることができ、パネル淵部１１１にホールカバー１０１を嵌め込み易くしている。
【０００９】
前記嵌合部１３５と前記第２嵌合部１３２との間の部分においては、一つあるいは複数の山谷を有する蛇腹部１３３が形成されていて、前記コラムホール１１２を形成する前記パネル淵部１１１に前記ホールカバー１０１を組付ける時及び組付けた後の形状の自由度を確保している。
【００１０】
【発明が解決しようとする課題】
このような従来の構成になるホールカバー１０１においては、前記カバー１３０をパネル１１０に組付ける作業に比較的長い時間が掛かると言う問題があった。
【００１１】
この組付け作業の手順を述べる。前記ステアリングシャフト１２１はギヤハウジング１２０と切り離された状態で、前記ギヤハウジング１２０にカバー１３０が第２嵌合部１３２にて嵌合された状態のホールカバー１０１をパネル１１０に近づけて行き、コラムホール１１２に開放口１３４が合うようにする。室内側即ち図２１にてパネル１１０の右上方から手を差し込み嵌合部押え部１３５Ｃを摘んでまず最初に嵌合部溝１３５Ａの一か所を拡げ、パネル淵部１１１に嵌め込んで行く。次に隣接するところの嵌合部溝１３５Ａを拡げて次々とパネル淵部１１１に嵌め合わせて行き、全周に拡げて行って嵌め合わせを完了する。この時前記カバー１３０はゴムでできており、剛性が低いことから、作業の途中で嵌合部１３５の形が変形し易く、当初嵌め込んだところが外れてくることもある。また嵌合部溝１３５Ａをパネル淵部１１１に滑らせながら嵌め込んで行く必要があるが、ゴムと金属板との摩擦係数が大であり滑りにくく作業に手間取る。このようなことから組付け作業時間が長くなると言う問題があった。
【００１２】
このような問題の対策の為にはカバー１３０の剛性を高くしてやれば良いわけであるが、前述の蛇腹部１３３を設けて形状の自由度を増すようにしていることからも分かる通り、カバー１３０全体ではある程度の低い剛性でないと形状の柔軟性がなく、コラムホール１１２と嵌合部１３５とが少しでもずれていると組付けづらくなってしまう。また嵌合部溝１３５Ａの挟み幅はパネル淵部１１１の板厚より小さくなっていて締め代を持たせるような寸法になっていることから、剛性が高くなると嵌め込みづらくなる。更に各種のギヤハウジングや各種のパネル形状に対して同一のホールカバー１０１を共通使用しようとする時、形状の柔軟性がなく対応しにくくなる。すなわちホールカバー１０１はゴムで一体的に形成されたカバー１３０のみで構成されているので、組付けに適するようにホールカバー１０１の剛性をある部分では大きく、ある部分では小さくと大きな差を設けることはほぼ不可能と言える。
【００１３】
そこでこのような問題点に鑑み、カバーとしては剛性を低く取り、一方パネルへ嵌合する開放口近くの嵌合部では剛性を高く取ると共に、パネルとの間の摩擦係数を小さくすることにより、ホールカバーのパネルへの組付けを容易にし、短時間で簡単に作業ができるようにすることを本発明の目的とする。
【００１４】
【課題を解決するための手段】
請求項１に記載の発明は、開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーの開放口の近傍の面に設けられており、このシール機構のシールリップが全周に渡って形成されているとともに、前記圧着爪は、圧着爪根元部と、この圧着爪根元部につながり、かつ、湾曲部を支点として撓む圧着爪壁部と、この圧着爪壁部に傾斜した傾斜面である圧着爪滑り部と、この圧着爪滑り部の先端に形成された圧着爪先端部とを有し、前記圧着爪壁部は、前記嵌合部材本体の嵌合部材壁部あるいは位置決め部の内周にあって、前記圧着爪滑り部が前記パネルに接触して、前記圧着爪壁部が前記圧着爪のばね作用によって、前記湾曲部を支点として前記カバーの内周側に撓む時に、前記嵌合部材の嵌合部材水平部の面の垂直方向にて圧着爪先端部が該嵌合部材水平部から離れる方向に変位するとともに、前記圧着爪滑り部も前記圧着爪壁部に向かって屈曲することを特徴とする車両用ホールカバーである。
【００１８】
請求項２に記載の発明は、開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーに設けられているとともに、前記圧着爪が、圧着爪滑り部と圧着爪先端部に圧着爪先端肉盗み部を備えており、前記圧着爪先端肉盗み部の幅は、嵌合部材水平部にほぼ垂直に突き出た位置決め部の幅より大であって、前記圧着爪が前記パネルに接触して撓む時に、この圧着爪が前記位置決め部に干渉しないことを特徴とする車両用ホールカバーである。
【００１９】
請求項３に記載の発明は、開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーに設けられているとともに、前記圧着爪が、前記嵌合部材本体に隙間を有してリベットで係合されており、前記嵌合部材本体に設けられ前記圧着爪の回転を制限する回転止め部に規制されて所定の範囲だけ回転可能であることを特徴とする車両用ホールカバーである。
【００２０】
請求項４に記載の発明は、請求項３に記載の圧着爪を取り付けた嵌合部材本体には、前記回転止め部と、嵌合部材水平部にほぼ垂直に突き出た位置決め部とが、分離されているかあるいは別部材で形成されていることを特徴とする車両用ホールカバーである。
【００２１】
請求項５に記載の発明は、請求項３に記載の圧着爪を有する嵌合部材本体の嵌合部材壁部の一部あるいは前記位置決め部と、前記回転止め部とが一体かあるいは同一部材で位置決め兼回転止め部を形成していることを特徴とする車両用ホールカバーである。
【００２２】
請求項６に記載の発明は、開放口を有する袋状の弾性体のカバーと、内周に孔を設けてある嵌合部材本体と弾性変形可能な爪状部材とで構成されており前記カバーより硬質の材料でできている嵌合部材とを前記カバーの前記開放口近傍で結合し、前記嵌合部材と前記カバーの間にて車体のパネルを押し付けることができると共に前記嵌合部材は前記嵌合部材本体に複数の前記爪状部材を結合して構成されるか、あるいは複数の前記爪状部材の中の一部が前記嵌合部材本体に一体で形成されており、残りの前記爪状部材は前記嵌合部材本体に結合されて構成されているとともに、前記嵌合部材の前記爪状部材は、前記パネルを挟み込む為の一つの案内爪と、この案内爪でパネルを挟んだ後に前記パネルに嵌め込まれ、かつ、前記カバーの開放口側の端部を前記パネルに押し付けて密着させる為の一つあるいは複数の圧着爪からなるとともに、この圧着爪によりカバーの開放側の端部を前記パネルに押し付けた際に、前記カバーの前記開放口の近傍の面と前記嵌合部材との間で、前記パネルを挟み込みシールする為のシール機構が、前記カバーに設けられているとともに、前記爪状部材を構成する前記案内爪及び前記圧着爪に対応する部分の前記カバーの前記開放口の近傍の面に、全周に亘ってシール機構としてシールリップが設けられており、前記案内爪に対応する部分の前記シールリップの剛性は、前記圧着爪に対応する部分の前記シールリップの剛性より大であることを特徴とする車両用ホールカバーである。
【００３０】
【発明の作用と効果】
上記のように構成された請求項１に記載の発明のホールカバーを車体のパネルに組付けるに当たっては、嵌合部材のところで前記パネルに嵌め合わせるので、少なくも金属の前記パネルと、金属あるいは樹脂あるいは金属と樹脂のような硬質な材料でできている前記嵌合部材とを滑らせるので、摩擦係数が小さくなり嵌め込み易くなる。
【００３１】
また前記ホールカバーは弾性体のカバーの開放口近くで前記嵌合部材が結合しており、この前記嵌合部材は硬質な材料でできていて剛性が高いので、組付け途中で変形することがなく組付け易い。
【００３３】
また案内爪と圧着爪に機能を分けたタイプの嵌合部材を有するホールカバーである請求項１に記載の発明においては、組付けに当たってまず前記案内爪を前記パネルに嵌め込む。するとこの案内爪の部分はしっかり固定されるので、その後嵌合部材本体に結合されている前記圧着爪を順にあるいは一気に嵌め込んで行けば良いので簡単に前記パネルに組付けられ、短時間で作業を完了できる。また圧着爪が前記パネルに嵌め込まれた時は、節度感の手応えがあるので、子細にチェックしなくても完了したことが分かる。さらに、前記カバーの開放口の近傍の面と前記嵌合部材との間で、前記パネルを挟み込みシールする為のシール機構を前記カバーに有しているので、水や泥等がホールカバーの内側の空間へ侵入することを阻止できる。
【００３５】
請求項１に記載の発明によれば、圧着爪の圧着爪壁部が、前記嵌合部材本体の嵌合部材壁部あるいは位置決め部の内周にあるので、前記圧着爪壁部が前記圧着爪のばね作用によって前記カバーの内周側に撓む時に、前記嵌合部材壁部や位置決め部が妨げることがないので、前記圧着爪の前記圧着爪壁部の撓みに当たって支点と荷重の掛かる点との長さが大きく取れる。従って前記圧着爪の弾性変形の為のモーメントを大きくできるので軽い荷重で撓ませることが可能となる。また前記圧着爪がばね作用によって前記カバーの内周側に撓む時に圧着爪先端部が前記嵌合部材の嵌合部材水平部の面から離れる方向に変位するので、前記ホールカバーを前記パネルに組付ける際に、前記ホールカバーにシールリップが設けられていても該シールリップを変形させる量が少なくて済み、前記ホールカバーを前記パネルに引き上げる荷重を低減できる。
【００３７】
請求項２に記載の発明によれば、前記圧着爪が圧着爪滑り部と圧着爪先端部に圧着爪先端肉盗み部を備えており、前記圧着爪先端肉盗み部の幅が、嵌合部材水平部にほぼ垂直に突き出た位置決め部の幅より大であって、前記圧着爪が撓む時に前記位置決め部に干渉しないので、前記圧着爪の撓みが大きい時でも前記位置決め部で撓みを規制されてしまうことがなく、スムーズな組付けができる。また、前記シール機構に前記カバーの前記開放口の近傍にシールリップを全周に渡って設けており、これを前記嵌合部材で挟んで押付けているのでより確実なシールが可能となる。
【００３８】
請求項３に記載の発明によれば、前記圧着爪が前記嵌合部材本体に隙間を有してリベットで係合されており、前記嵌合部材本体に設けられ前記圧着爪の回転を制限する回転止め部に規制されて所定の範囲だけ回転可能であるから、前記ホールカバーを前記パネルに組付ける際に該パネルのコラムホールにぴったりと合っていなくても、前記圧着爪が隙間分の揺動の自由度があるのでずれを補正してスムーズに組付けすることができる。
【００３９】
請求項４に記載の発明によれば、前記圧着爪を取り付けた嵌合部材本体に、前記回転止め部と、嵌合部材水平部にほぼ垂直に突き出た位置決め部とが、分離されているかあるいは別部材で形成されているので、前記ホールカバーの前記パネルに対する位置の調整が独立に設定可能である効果がある。
【００４０】
請求項５に記載の発明によれば、前記圧着爪を有する嵌合部材本体の嵌合部材壁部の一部あるいは前記位置決め部と、前記回転止め部とが一体かあるいは同一部材として位置決め兼回転止め部を形成しているので、前記位置決め兼回転止め部の剛性を高くできると言う効果がある。
【００４１】
請求項８に記載の発明によれば、前記圧着爪の材料がばね鋼でできているので、ホールカバーの前記パネルへの嵌め込み時大きな弾性変形で適度な力で撓むことが可能であり、また数多くの再使用をすることも可能である。
【００４４】
請求項６に記載の発明によれば、前記カバーの開放口の近傍に設けられた前記シールリップにおいて、前記案内爪に対応する部分の前記シールリップの剛性は、前記圧着爪に対応する部分の前記シールリップの剛性より大であるので、前記パネルに前記ホールカバーを嵌め込む最初において前記案内爪を素早く強く押し込んで滑り込ませても、前記案内爪に対応する前記シールリップの先端が本来撓むべき方向と逆の方向に変形したままになることがない。また、前記シール機構に前記カバーの前記開放口の近傍にシールリップを全周に渡って設けており、これを前記嵌合部材で挟んで押付けているのでより確実なシールが可能となる。
【００４５】
請求項１１に記載の発明によれば、ホールカバーを前記パネルに組付ける時、前記ホールカバーにおいて前記嵌合部材の内周の孔の一部に案内部材を有しているので、この案内部材を手に持って適当な位置に持って来ることができるので作業がやり易く素早くできる。
【００４６】
請求項１２に記載の発明によれば、ホールカバーを前記パネルに組付ける時に、前記パネルに空けられているコラムホールに対して、前記パネルには前記パネルと同じ面内にて凹部あるいは凸部が形成されているので、この凹部あるいは凸部を目印として前記嵌合部材の前記案内爪を近づけて行くことができる。従って、ギヤハウジングに取り付けられた前記ホールカバーが搭載時に位置のばらつきがあったとしても前記パネルの前記コラムホールに合わせられスムーズに作業ができる。
【００４７】
このようにホールカバーを車体のパネルに組付ける作業が、従来に比べ格段に簡単となり、より短い時間で完了することができるようになる効果があり、本発明の目的を達成できる。
【００４８】
【発明の実施の形態】
発明の実施の形態について説明する為に本発明のホールカバーがステアリング機構に適用された例で示す。ギヤハウジングに嵌合された本発明の第１の実施の形態のホールカバーが車体のパネルに取り付けられているところを示す断面図が図１である。図１に示すホールカバー１は弾性体でできたカバー３０と嵌合部材４０で構成されている。
【００４９】
図示しないステアリングホイールに一方で連結されたステアリングシャフト２１は他方でギヤハウジング２０に結合されている。弾性体のカバー３０は袋状をしていて両端に開放口３４と第２開放口３１を有している。該第２開放口３１には第２嵌合部３２が形成されていて、凹部を形成した第２嵌合部溝３２Ａと前記ギヤハウジング２０の上方に形成された凸部をなすつば状をしたギヤハウジングつば部２２とが嵌まり合うことにより前記カバー３０と前記ギヤハウジング２０とが嵌合させられている。また前記第２開放口３１の端部の方はギヤハウジング２０の外周の全周あるいはその一部を覆う第２開放口延設部３１Ａが形成されている。
【００５０】
前記第２開放口３１の反対側に開放された開放口３４の近傍には嵌合部３５が形成されている。該嵌合部３５には凹部となる嵌合部溝３５Ａが形成されている。該パネル１０には略円形あるいは略多角形あるいは曲線と多角形とで形成された形の孔であるコラムホール１２を形成している。
【００５１】
前記カバー３０の開放口３４側の端部は面を形成していてシール機構３６となっている。この図１に示すシール機構はシールリップ３６Ａを有しており、前記嵌合部材４０を構成する嵌合部材本体４５（図２に示す）に結合された爪状部材４１との間にパネル１０を挟んでいる。該爪状部材４１によって前記シールリップ３６Ａは弾性的に撓ませられて押付けられており、全周に渡って締め付け力が働くからシール性が良い。この為パネル１０とで仕切る車室の内外の空間は隔壁され室内への泥や水等の侵入が防止される。
【００５２】
また前記嵌合部３５に近接して、前記カバー３０の内周側には開放口突出部３４Ａを形成しているので、車室内のゴミ等の異物が下に落ちた時に、前記第２嵌合部３２の近くでカバー３０と回転するステアリングシャフト２１との間に落ちてしまって異物が噛み込むことのないように、空間的余裕のある前記嵌合部３５の近くにおいて車室内から落ちた異物を捕えて置くものである。図１では前記開放口突出部３４Ａは平らな面のままであるが、前記ステアリングシャフト２１や前記ギヤハウジング２０から突き出ているエクステンションシャフト２２のまわりに薄い板の円筒状のガイドを設けることによって異物が下に落ちないようにしても良い。
【００５３】
前述の嵌合部材４０の詳細を示す平面図が図２である。嵌合部材４０は金属あるいは樹脂あるいは金属と樹脂と言うように、弾性体の前記カバー３０より硬質の材料でできていて剛性がより高くなっている。また前記嵌合部材４０は、図２の実施例においては円形のリング状をしている。しかしこれは円形に限定されるものではなく、パネル１０の孔のところで述べたように前記パネル１０の孔であるコラムホール１２の形状が略円形であったり略多角形であったり曲線と多角形とで形成されるいろいろの形状であっても、それに合わせた孔を有した形状とすれば良い。このように嵌合部材４０はパネル１０の孔の形状に合わせた形状で内周部に孔４４を設けた嵌合部材本体４５と爪状部材４１とで構成されている。嵌合部材本体４５は内周に添ってほぼ均一の幅を持ったリングに近い形状に形成する嵌合部材水平部４５Ａを有し、内周側でこの嵌合部材水平部４５Ａにほぼ垂直の円筒状に嵌合部材壁部４５Ｂが一体的に形成されている。この嵌合部材壁部４５Ｂを設けることによって嵌合部材４０の剛性を高めている。前記嵌合部材壁部４５Ｂは前記嵌合部材本体４５と別体で結合するものであっても良い。また前記嵌合部材本体４５は平板以外に棒状のものであっても波状の板であっても良い。
【００５４】
嵌合部材本体４５の内周に空けられた孔４４の一部においては前記嵌合部材壁部４５Ｂの上部先端が折れ曲がって内周側に向かって棚状に延びた部分である案内部材４６が形成されている。これはカバー３０と嵌合部材４０とが合体されてホールカバー１が構成されパネル１０に組付ける時に、手でこの案内部材４６を持てるようにして作業がし易くする為に設けたものである。従ってこの案内部材４６は必ずしも平板に限られるものではなく、曲面でもまた棒状のものでも良く、更に複数箇所に設けても良い。前記案内部材４６は組付け時に手で持って作業がし易い為だけでなく、前記パネル１０の前記コラムホール１２との円周方向の位置を決める時の印としても役立つものである。
【００５５】
図２の実施例の嵌合部材４０では円周を３等分して１２０度の角度で３つの爪状部材４１が配置結合されている。この爪状部材４１の一つは案内爪４２であり、残りの２つは圧着爪４３となっている。別の実施例として前記爪状部材４１を全て圧着爪４３とすることも可能である。ここで前記案内爪と前記圧着爪の数の合計あるいは前記圧着爪だけの場合の数の合計は、３つに限定されるものではなく、また必ずしも円周上に均等の角度に位置させる必要もない。前述の如く前記嵌合部材４０は円形でない場合もあるわけで、その形状に合わせて適宜その数と位置を決定してやれば良い。
【００５６】
またこの実施例では、前記爪状部材４１の一つである前記案内爪４２は前記嵌合部材本体４５と一体で形成されているが、前記嵌合部材本体４５にかしめやスポット溶接やリベットによって結合しても良い。
【００５７】
またこの実施例では圧着爪４３は嵌合部材本体４５とは別体で構成しているが、嵌合部材本体４５とともに一体で形成することも可能であり、この場合は爪状部材４１を別体とした時に比べて製造コストを低くできる。
【００５８】
図２に示す嵌合部材４０の平面図においてＡ−Ａ断面で切った断面図で前記案内爪４２の詳細を示すものが図３である。この実施例では案内爪４２は嵌合部材本体４５と一体でできており、嵌合部材壁部４５Ｂの上部はＳ字カーブを描いて案内爪先端部４２Ａが形成されている。嵌合部材壁部４５Ｂに直角に嵌合部材水平部４５Ａが延びていてその先端は折り曲げられていて案内爪根元部４２Ｂを形成している。この案内爪根元部４２Ｂは嵌合部材水平部４５Ａに対しほぼ直角に折れ曲がっているので、図１に示す嵌合部穴３４Ｂに入るようになっている。
【００５９】
図２の嵌合部材４０の平面図においてＢ−Ｂ断面で切った断面図で前記圧着爪４３の詳細を示すものが図４である。また前記圧着爪４３の作用時の説明図として示した詳細断面図が図５である。嵌合部材本体４５の嵌合部材水平部４５Ａにリベット４７で圧着爪４３が結合されている。この圧着爪４３はばね鋼でできており弾性変形し易いので組付け時無理な力を入れる必要がなく、スムーズにホールカバー１をパネル１０に組付けられる。また数回の再使用にもへたることがない。前記圧着爪４３は上部が折り曲げられて断面の一部が３角形の形をしたヘアピン形状をしていて、圧着爪壁部４３Ｃに傾斜した傾斜面である圧着爪滑り部４３Ｂを有し、更に先端部は少し折り曲げられていて圧着爪先端部４３Ａを形成している。また前記圧着爪壁部４３Ｃの下側はほぼ直角に折れ曲がっていて嵌合部材水平部４５Ａに沿った面である圧着爪根元部４３Ｄを形成している。
【００６０】
前記ホールカバー１を前記パネル１０に組付ける時の前記圧着爪４３の作用を述べる。図５の点線で示すように前記パネル淵部１１に前記圧着爪滑り部４３Ｂの下方先端即ち前記圧着爪先端部４３Ａが接し始め、その後図５の左方に押し込むことになる。ここで前記圧着爪４３は前記圧着爪壁部４３Ｃの背面となる左方には支えがないので、前記圧着爪壁部４３Ｃの下方の前記圧着爪根元部４３Ｄにつながる湾曲部を支点として倒れ込んで行く。同時に前記圧着爪滑り部４３Ｂも前記圧着爪壁部４３Ｃに向かって前述のヘアピン形状の角度を狭めるように屈曲する。前記圧着爪先端部４３Ａが前記パネル端部１１を乗り越えられる迄前記圧着爪４３が倒れ込めば図６に示すように前記圧着爪４３が前記パネル１０にしっかりと嵌め込まれた状態となる。
【００６１】
ここで比較の為に図７に示すような圧着爪２４３が嵌合部材２４５の外周に位置している例について触れておく。前述の図５の例では前記圧着爪４３は前記嵌合部材４５の内周側に位置したが、図７の例では逆であり、圧着爪壁部２４３Ｃの倒れ込みの背面にあって倒れ込みを支えるように位置している。即ち図５の例の前記圧着爪４３の倒れ込みの支点が前記圧着爪根元部４３Ｄへ湾曲するところであって下方なのに対して図７の場合は前記嵌合部材２４５の上方先端部のところとなるので、前記圧着爪壁部２４３Ｃを倒れ込ませようとするモーメントが小さい為、図７に示すように前記圧着爪壁部２４３Ｃは殆ど撓まず、前記圧着爪滑り部２４３Ｂが撓む。
【００６２】
そこで図５の前記圧着爪先端部４３Ａの上下方向の位置と図７の前記圧着爪先端部２４３Ａの上下方向の位置とを比較して見ると、前者は初期の位置より上方にＨ移動しているのに対して、後者では下方にｈだけ移動している。これは後者の場合前記パネル淵部１１が前記カバー３０の上面に設けられたシールリップ３６Ａを組付け作業の途中で余分にｈだけ下方に押し込まねばならないことを意味している。その為その分の反力が必要となるのでより大きな力を要することになる。その点で最初に図４、５、６で示した前記圧着爪４３の前記嵌合部材４５への取付け構成の場合は、前記ホールカバー１をより軽く組付けることが可能となり有利と言える。
【００６３】
前述のカバー３０に嵌合部材４０を結合させるには、嵌合部材４０の嵌合部材水平部４５Ａを前記カバー３０の嵌合部３５に設けられた嵌合部溝３５Ａに挿入してやれば良い。この方法以外に接着剤を用いて結合したり、前記カバー３０がゴムの場合にゴムの成形時に加硫接着してしまう方法や、インジェクション成形やインサート成形によって造る方法などがある。このようにしてカバー３０と嵌合部材４０とを結合したホールカバー１の斜視図を示したものが、図８である。
【００６４】
次に第１の実施の形態のホールカバーの嵌合部材と圧着爪との別の実施例を示した断面図が図１０であり、図１０に示す圧着爪５４３の平面図を図１１（Ａ）に、断面図を図１１（Ｂ）に、側面図を図１１（Ｃ）に示す。また斜視図として示したものが図１２である。前記圧着爪５４３の圧着爪滑り部５４３Ｂの中程から圧着爪先端部５４３Ａにかけては図１２に示すように切り落とすことによって、圧着爪先端肉盗み部５８０が形成されている。即ち圧着爪先端部５４３Ａは幅方向で先端が分離した熊手のような形状となっている。また圧着爪壁部５４３Ｃにおいても中程から圧着爪根元部５４３Ｄに掛けて図１２に示すように圧着爪根元肉盗み部５７０が形成されている。このような圧着爪根元肉盗み部５７０が設けられていることによって、前記圧着爪５４３の前記圧着爪滑り部５４３Ｂにほぼ水平方向からの荷重が掛けられると、前記圧着爪壁部５４３Ｃが下方の湾曲部を支点として前記嵌合部材本体５４５の内周側に倒れ込むが、この時の倒れ込みの剛性が低くなっているので、倒れ込み易い。また前記圧着爪先端肉盗み部５８０が設けられていて、幅が後述の位置決め部５６０の幅より大きいので、前記位置決め部５６０に妨げられないで、前記圧着爪５４３が撓んで変位することができる。
【００６５】
嵌合部材本体５４５は外周にほぼ水平な面となる嵌合部材水平部５４５Ａと、内周側にほぼ垂直な薄い円筒上をなす嵌合部材壁部５４５Ｂを有している。前記圧着爪５４３の取り付けられるところでは図１２に示すように一部が切り落とされていて、前記圧着爪５４３の前記圧着爪先端部５４３Ａが倒れ込んだ時に、前記嵌合部材壁部５４５Ｂに接触せずに内周側に入り込むことができるようになっている。
【００６６】
前記位置決め部５６０は前記嵌合部材水平部５４５Ａにほぼ垂直に突き出た形状をしており、根元のところで前記嵌合部材水平部５４５Ａに一体的に連結されている。前記圧着爪５４３は前記圧着爪根元部５４３Ｄにて、前記嵌合部材水平部５４５Ａにリベット５４７で固定されている。但しこのリベット５４７の固定の仕方は完全な固定ではなく前記圧着爪５４３が前記リベット５４７を支点として回転可能な程度に隙間が設けられている。図１２に示すように前記嵌合部材壁部５４５Ｂの切り落としを形成する淵になるところは回転止め部５５０となっている。前述のようにこの回転止め部５５０の上方は前記圧着爪先端部５４３Ａが倒れ込み時通過できるように段付きに切り込みが入っている。前記圧着爪５４３が前記リベット５４７を支点として回転可能であっても、前記回転止め部５５０がある為に、その回転による揺動は所定の範囲に制限される。
【００６７】
図１０に示す前記位置決め部５６０と前記回転止め部５５０とは、嵌合部材本体５４５において分離されて形成されているが、別部材を溶接等で結合したものであっても良い。前記圧着爪５４３の若干の揺動を可能とする為に図１０の断面図に示すように前記回転止め部５５０と前記圧着爪壁部５４３Ｃとの間には隙間Ｃが設けられている。このＣの大きさを適宜設定することによって、前記圧着爪５４３が前記嵌合部材本体５４５に対して動き得る量を調節することができる。
【００６８】
この隙間Ｃの機能について説明する。前記圧着爪５４３を取付けた前記嵌合部材本体５４５が前記パネル１０の前記パネル淵部１１に嵌め込まれる時の状態を図１３に上方から見た平面図で示す。前記嵌合部材本体５４５が前記パネル１０のコラムホール１２に近づき、前記パネル淵部１１に前記圧着爪５４３の前記圧着爪滑り部５４３Ｂが接触するようになる。しかし前記パネル淵部１１と前記圧着爪５４３とは組付けの精度上、図１３の左右方向でぴったりと平行になるわけには行かないので、通常前記圧着爪滑り部５４３Ｂが前記パネル淵部１１に偏った当たり方をしながら図１３の紙面に垂直に上方に移動させられて行く。このような状態では前記圧着爪５４３のばね作用が図１３の左右方向で均一にならないので、こじたりして組付けづらくなる恐れがある。これに対してこの前記圧着爪５４３は隙間ｄだけ右回転及び左回転するガタを有しているので、所定の範囲において前記圧着爪５４３は前記パネル淵部１１に沿って平行となり均一な滑らかな倒れ込みが可能となる。
【００６９】
図１０から１３迄に示した実施例の嵌合部材５４０が車体のパネル１０に嵌め込まれたところを示す平面図が図１４である。嵌合部材５４０はコラムホール１２に対応して、内周に孔５４４を有するがこれは図２のような円形状ではなくコーナー部が円形状の四角形となっている。この略四角形を構成する辺の３辺の中央付近に圧着爪５４３が取り付けられていて、残りの一辺の中央付近に案内爪５４２が位置している。この時前記パネル１０のパネル淵部１１の一部にはこのパネル淵部１１と同じ面のまま凸部１３が２つ形成されていて、前記コラムホール１２に対して突き出している。この２つの凸部１３の間隔は案内爪５４２の幅より大であるから、図１４に示すようにちょうど案内爪５４２を挟む形で取り付くこととなる。この凸部１３が設けてあることで、嵌合部材５４０をパネル１０に組み込む時に目印とすることができ、作業性が向上する。目印となれば良いことから、この凸部は必ずしも凸ではなくて凹んでいる凹部であっても良いし、複数でなく１つであっても良い。
【００７０】
第１の実施の形態の更に別の実施例としての嵌合部材と圧着爪とを図１５に示す。これは前述の図１０、１２で示した前記位置決め部５６０と前記回転止め部５５０とを一つの部材で兼ねてしまうものである。図１５ではこれを位置決め兼回転止め部６６０として形成したものである。この位置決め兼回転止め部６６０は嵌合部材６４０とパネル１０との位置関係を決める為のものであり、図１０の例で示すように前記回転止め部５５０よりやや外周側に位置させる必要がある。しかし前記位置決め兼回転止め部６６０は同時に圧着爪６４３のリベット６４７を支点とする回転を規制する為のものでもあるので、前記圧着爪６４３に近接している必要もある。圧着爪先端部６４３Ａを外周にてほぼ同じ程度の外径に保つ必要があるから、圧着爪滑り部６４３Ｂと圧着爪壁部６４３Ｃとのヘアピンの折れ曲がり角度は図１５の点線で示すように鋭い鋭角になってしまう。従って図１５の実線の如く圧着爪６４３Ｃを２段折れにして、折れ曲がり角度を緩和してやる工夫が必要である。
【００７１】
このような位置決め部と回転止め部の兼用によって前記位置決め兼回転止め部６６０の剛性を高く取ることが可能となる。
【００７２】
図１及び図５に示した第１の実施の形態の嵌合部材において、別の実施例の嵌合部材３４０を組み込んで示したホールカバー３３０の斜視図が図１７である。この嵌合部材３４０においては、爪状部材３４１が嵌合部材本体３４５と一体で形成されている。この爪状部材３４１の詳細を示す断面図が図１８であり、図１７のＣ−Ｃ’断面で切った面を示している。前記爪状部材３４１は複数の圧着爪３４３で構成されているが、圧着爪根元部３４３Ｄは嵌合部材水平部３４５Ａの一部となっており、これにほぼ直角に圧着爪壁部３４３Ｃが延びている。この圧着爪壁部３４３Ｃの上方では折り曲がっていて、圧着爪滑り部３４３Ｂが傾斜した面を形成している。先端部では圧着爪先端３４３Ａがあり、パネル淵部１１をカバー３３０の嵌合部押え部３３５Ｃの面とで挟んでいる。ここでこの圧着爪３４３を有する嵌合部材３４０は前記カバー３３０に加硫接着されている。
【００７３】
次に前記ギヤハウジング２０に第２嵌合部３２にて組付けられたホールカバー１をパネル１０に嵌め込む作業について図９を主として用いて説明する。ステアリングシャフト２１は未だギヤハウジング２０に結合されていないので、ホールカバー１を上部に取り付けたギヤハウジング２０を下から徐々に上げて行き所定の位置で止める。コラムホール１２の位置とカバー３０の開放口３４とはほぼ合っているので、パネル１０の上方より手を入れて前記案内部材４６を持ちホールカバー１を持ち上げる。ここでまず前記案内爪４２をパネル１０のパネル淵部１１に嵌め込む。これは図３で示した案内爪先端部４２Ａと図１の嵌合部押え部３５Ｃとの間にパネル淵部１１を挟み込む。前述のように案内爪４２は先端に向かってＳ字状を形成している。従ってパネル１０のパネル淵部１１にホールカバー１を嵌め込む時に案内爪滑り部４２Ｃで接触するが、その接触面積は小さいので挿入力が小さくて済む。
【００７４】
案内爪４２をパネル淵部１１に滑り込ませる時は、案内爪先端部４２Ａの近くの屈曲した場所である案内爪滑り部４２Ｃの面とパネル淵部１１とは滑ることになるが、この時は同時にシールリップ３６Ａでもパネル淵部１１と滑ることになる。しかし案内爪に対応する部分のシールリップの剛性は、圧着爪を含む他の場所に位置するシールリップの剛性よりも大であるから、前述の案内爪４２を滑り込ませる時にシールリップ３６Ａが反転したりする不具合が起こらずスムーズに作業ができる。
【００７５】
次に案内部材４６を上に引き上げて行く。嵌合部材壁部４５Ｂ及び圧着爪４３の最上部はコラムホール１２を通り抜けられる寸法になっているが、前記圧着爪４３の圧着爪滑り部４３Ｂは前記コラムホール１２を通り抜けられず、図５に示したように圧着爪滑り部４３Ｂがパネル淵部１１に接触するようになる。更に案内部材４６を上に上げようとすると、ばね鋼でできた圧着爪４３は圧着爪滑り部４３Ｂが内周側に撓みつつ同時に圧着爪壁部４３Ｃも図５の下方の湾曲部を支点として前述のヘヤピン形状の先端部が内周側に入り込むように撓む。この際の圧着爪４３が図１０、１２に示したような若干の回転が可能なタイプであれば、前記パネル淵部１１に平行に均一に当たって行くので、こじることがなくスムーズに嵌め込まれて行く。図５において圧着爪４３は点線から実線のように変化して行く。このようにしてパネル淵部１１の先端部との間で滑りながら上に上昇して行く。この時の滑りは金属と金属あるいは金属と樹脂との摩擦であり、ゴムとの摩擦ではないので摩擦係数が低くスムーズである。そしてさらに上に持ち上げられると案内爪先端部４３Ａがパネル淵部１１を乗り越えて、図６に示すようにばね力で元の形状に戻りしっかりと嵌め込まれる。前述の如く前記圧着爪４３はばね鋼であるから大きな撓みも可能であると共に、分解組付けを何度か実施してもへたることがなく再利用が可能である。
【００７６】
ここでシールリップ３６Ａは圧着爪４３によって撓まされ適度な緊迫力を持たされるので、確実なシール機能を果たすことができる。このシール機構では必ずしもシールリップを有さなくとも良い。別の実施例を図１６に示すが、この場合は嵌合部押え部３５Ｃは平らな面となっており、圧着爪４３の圧着爪先端部４３Ａと圧着爪根元部４３Ｄとの間で緊迫力を与えられ、パネル淵部１１に密着させられている。
【００７７】
このように案内爪４２を嵌めることも簡単にできるし、一度案内爪４２がパネル１０に付けられれば後は案内部材４６を引き上げるだけで簡単にスムーズにホールカバー１をパネル１０に取り付けることが可能となり、作業時間が大幅に短縮できると共に、圧着爪４３を嵌め終わると節度感のある手応えがあるので、正しく嵌め込まれているかチェックしなくても感知できる。
【００７８】
こうしてホールカバー１がパネル１０に組み込まれた後、ステアリングシャフト２１を上方から降ろして来て、前記エクステンションシャフト２２に嵌合させるとステアリング機構が車両に取り付け完了となる。
【００７９】
第２の実施形態のホールカバーについて示した斜視図が図１９であり、図１９の中に示すＤ−Ｄ’断面で切った詳細断面図を図２０に示す。嵌合部材４４０は一体でできており、嵌合部材水平部４４５Ａにほぼ直角に嵌合部材壁部４４５Ｂが形成され、更にその上部に行くと下に向かって反転していて軸方向に沿って外径が変化している。この図１２の例では外径が下方に向かって大きくなって行き、裾が開いたスカート状の形状となっていて嵌合部材スカート部４４８を形成している。カバー４３０の嵌合部４３５に設けられた嵌合部溝４３５Ａに前記嵌合部材水平部４４５Ａが嵌め込まれている。前記嵌合部材スカート部４４８には全周にて幾つかの複数のスリット４４９が設けられている。このスリット４４９は嵌合部材スカート部４４８の上方では閉じられているが先端部では開いている。
【００８０】
従って案内部材４４６を手に持ってカバー４３０を前述のパネル１０に空けられたコラムホール１２に合わせてから引き上げると、嵌合部材スカート部４４８の先端はパネル淵部１１に添って縮められ、パネル淵部１１を乗り越すと一気に開いて図２０に示す元の形状になる。嵌合部材スカート部４４８と嵌合部材水平部４４５Ａとでパネル淵部１１と嵌合部押え部４３５Ｃとを挟む。この挟む間隔は、前記パネル淵部１１と嵌合部押え部４３５Ｃの厚さの和より狭い寸法が取ってあるので、弾性体でできているカバー４３０の一部をなす嵌合部押え部４３５Ｃは撓ませられ、上面でパネル淵部１１の下面に密着するので、シールが確実になされる。このように第２の実施の形態のホールカバー４０１においても、前記案内部材４４６を引き上げることによって簡単に組付けられるので、作業時間が大幅に短縮できると共に、嵌め終わると節度感のある手応えがあるので、正しく嵌め込まれているかチェックしなくても感知できる。
【００８１】
この第２の実施の形態においても前記カバー４３０と前記嵌合部材４４０との嵌合は、第１の実施の形態と同じく、嵌め込む方法や接着剤による結合の方法や前記カバー４３０がゴムの場合に加硫接着による方法やインジェクション成形やインサート成形等がある。
【００８２】
以上の説明においては、本発明の車両用ホールカバーをステアリングの部品がボデーのパネルを貫通するところにおいて適用した場合について述べたが、これは当然この場合のみに限定されるものではなく、車両の他のパネルにおいても広く適用され得るものである。
【図面の簡単な説明】
【図１】  本発明の第１の実施の形態のホールカバーが、ステアリング機構に適用されてギヤハウジングと車体のパネルに取り付けられているところを示す断面図である。
【図２】  図１に示す嵌合部材４０の平面図である。
【図３】  図２においてＡ−Ａ’断面で切った詳細断面図を示す。
【図４】  図２においてＢ−Ｂ’断面で切った詳細断面図を示す。
【図５】  図４の圧着爪４３の作用を示す詳細断面図である。
【図６】  図４の圧着爪４３がパネル１０に取付けられた状態を示す詳細断面図である。
【図７】  圧着爪が嵌合部材の外周側に固定されている場合の例で、図４の圧着爪４３との比較の為に示した断面図である。
【図８】  図１のホールカバーのみを示す斜視図である
【図９】  本発明の第１の実施の形態のホールカバーをパネル１０に取り付ける作業の途中を示す断面図である。
【図１０】  本発明の第１の実施の形態において圧着爪と嵌合部材との別の実施例を示す部分詳細断面図である。
【図１１】  図１０の圧着爪５４３の平面図が図１１（Ａ）、断面図が図１１（Ｂ）、側面図が図１１（Ｃ）である。
【図１２】  図１０の圧着爪５４３が嵌合部材本体５４５に取り付けられているところを示す斜視図である。
【図１３】  図１０の圧着爪５４３が回転可能でパネル１０の沿ってスムーズに嵌め込まれることを示す説明図である。
【図１４】  図１０の圧着爪５４３が嵌合部材本体５４５に取り付けられた嵌合部材５４０の平面図である。
【図１５】  更に別の実施例として、本発明の第１の実施の形態において位置決め部と回転止め部とを兼用した場合の圧着爪と嵌合部材とを示す部分詳細断面図である。
【図１６】  本発明の第１の実施の形態においてカバーの上面のシール機構の異なる別の実施例を示す部分詳細断面図である。
【図１７】  本発明の第１の実施の形態において別の実施例の嵌合部材３４０を有するホールカバー３３０の斜視図である。
【図１８】  図１７のＣ−Ｃ’断面で切った爪状部材３４１を示す詳細断面図である。
【図１９】  本発明の第２の実施の形態のホールカバーを示す斜視図である。
【図２０】  図１９のＤ−Ｄ’断面で切った詳細断面図を示す。
【図２１】  従来構造のホールカバーが、ステアリング機構に適用されてギヤハウジングと車体のパネルに取り付けられているところを示す断面図である。
【符号の説明】
１、１０１、３０１、４０１・・・ホールカバー
１０、１１０・・・パネル
１１、１１１・・・パネル淵部
１２、１１２・・・コラムホール
１３・・・凸部
２０、１２０・・・ギヤハウジング
２１、１２１・・・ステアリングシャフト
３０、１３０、２３０、３３０、４３０、５３０、６３０・・・カバー
３３、１３３・・・蛇腹部
３４、１３４・・・開放口
３５、１３５・・・嵌合部
３６・・・シール機構
３６Ａ・・・シールリップ
４０、１４０、３４０、４４０、５４０、６４０・・・嵌合部材
４１、３４１・・・爪状部材
４２・・・案内爪
４３、３４３、５４３、６４３・・・圧着爪
４５、２４５、３４５、５４５、６４５・・・嵌合部材本体
４６、３４６、４４６・・・案内部材
４７、５４７、６４７・・・リベット
５５０・・・回転止め部
５６０・・・位置決め部
５７０、６７０・・・圧着爪根元肉盗み部
５８０、６８０・・・圧着爪先端肉盗み部
６６０・・・位置決め兼回転止め部
【図１】
0003680900.tif 000002
【図２】
0003680900.tif 000003
【図３】
0003680900.tif 000004
【図４】
0003680900.tif 000005
【図５】
0003680900.tif 000006
【図６】
0003680900.tif 000007
【図７】
0003680900.tif 000008
【図８】
0003680900.tif 000009
【図９】
0003680900.tif 000010
【図１０】
0003680900.tif 000011
【図１１】
0003680900.tif 000012
【図１２】
0003680900.tif 000013
【図１３】
0003680900.tif 000014
【図１４】
0003680900.tif 000015
【図１５】
0003680900.tif 000016
【図１６】
0003680900.tif 000017
【図１７】
0003680900.tif 000018
【図１８】
0003680900.tif 000019
【図１９】
0003680900.tif 000020
【図２０】
0003680900.tif 000021
【図２１】
0003680900.tif 000022